(57)【要約】【課題】  ＮＴＳＣやＰＡＬなどフレーム周波数の固定された映像ソースを表示するときのフリッカやカクカク動作を安価に抑制することができる液晶表示装置を提供する。【解決手段】  複数の液晶画素ＰＸを略マトリクス状に配した表示パネルＤＰと、前記表示パネルを照明するバックライト部ＢＬの点消灯を制御する照明制御部（１４）と、非映像信号及び映像信号を画素電圧として周期的に前記複数の液晶画素の各々に書き込むドライバ回路（１１，１２，１７）と、１フレーム期間を第１乃至第４期間に設定し、第１及び第３期間内に非映像信号を書込み、第２及び第４期間内に映像信号を書込むように前記ドライバ回路を制御すると共に、第２及び第４期間内に前記バックライト部を点灯するように前記照明制御部を制御する制御部（１０）とを備えた液晶表示装置である。【選択図】図３
2009186676.tif 000002
【特許請求の範囲】
【請求項１】
複数の液晶画素を略マトリクス状に配した表示パネルと、
前記表示パネルを照明するバックライト部の点消灯を制御する照明制御部と、
非映像信号及び映像信号を画素電圧として周期的に前記複数の液晶画素の各々に書き込むドライバ回路と、
１フレーム期間を第１乃至第４期間に設定し、第１及び第３期間内に非映像信号を書込み、第２及び第４期間内に映像信号を書込むように前記ドライバ回路を制御すると共に、第２及び第４期間内に前記バックライト部を点灯するように前記照明制御部を制御する制御部と
を備えたことを特徴とする液晶表示装置。
【請求項２】
複数の液晶画素を略マトリクス状に配した表示パネルと、
前記表示パネルを照明するバックライト部の点消灯を制御する照明制御部と、
非映像信号及び映像信号を画素電圧として周期的に前記複数の液晶画素の各々に書き込むドライバ回路と、
１フレーム期間を第１乃至第３期間に設定し、第１期間内に非映像信号を書込み、第２及び第３期間内に映像信号を書込むように前記ドライバ回路を制御すると共に、第２及び第３期間内に前記バックライト部を点灯するように前記照明制御部を制御する制御部と
を備えたことを特徴とする液晶表示装置。
【請求項３】
１フレーム内の２つの期間内に書き込まれるそれぞれの映像信号には、当該フレームに書き込まれるべき階調レベルが異なる割合で分配されていることを特徴とする請求項１または２に記載の液晶表示装置。
【請求項４】
前記バックライト部は、前記表示パネルの分割された表示領域毎に発光するようになされ、
前記照明制御部は、前記バックライト部の点灯を前記分割された表示領域毎に独立して制御することを特徴とする請求項１または２に記載の液晶表示装置。
【請求項５】
複数の液晶画素を略マトリクス状に配した表示パネルと、
前記表示パネルを照明するバックライト部の点消灯を制御する照明制御部と、
非映像信号及び映像信号を画素電圧として周期的に前記複数の液晶画素の各々に書き込むドライバ回路と、
１フレーム期間を第１及び第２期間に設定し、第１期間内に非映像信号を書込み、第２内に映像信号を書込むように前記ドライバ回路を制御すると共に、第２期間内に前記バックライト部を２度点消灯するように前記照明制御部を制御する制御部と
を備えたことを特徴とする液晶表示装置。
【請求項６】
前記液晶画素はＯＣＢモード液晶を用いることを特徴とする、請求項１乃至５のうちいずれか１項に記載の液晶表示装置。
【発明の詳細な説明】
【技術分野】
【０００１】
本発明は液晶表示装置に関し、特に、ＮＴＳＣやＰＡＬなどフレーム周波数の固定された映像ソースを表示するときのフリッカやカクカク動作を安価に抑制することができる液晶表示装置に関する。
【背景技術】
【０００２】
近年、液晶表示装置のＴＶ用途、車載用途（ナビゲーション用ディスプレイ、リアシートエンタテインメント用ディスプレイなど）、プロフェッショナル用途（医療用、放送用ディスプレイなど）、あるいはモバイル用途（小型ゲーム機、ポータブルＰＣ、あるいは携帯電話など）への応用が急速に普及しつつある。
【０００３】
液晶表示装置は、一般に複数の液晶画素のマトリクスアレイを含む液晶表示パネル、この液晶表示パネルを照明するバックライト、並びにこれら表示パネルおよびバックライトを制御する表示制御回路を有する。液晶表示パネルはアレイ基板および対向基板間に液晶層を挟持した構造である。
【０００４】
アレイ基板は略マトリクス状に配置される複数の画素電極、複数の画素電極の行に沿って配置される複数のゲート線、複数の画素電極の列に沿って配置される複数のソース線、複数のゲート線および複数のソース線の交差位置近傍に配置される複数のスイッチング素子を有する。各スイッチング素子は例えば薄膜トランジスタ（ＴＦＴ）からなり、１ゲート線が駆動されたときに導通して１ソース線の電位を１画素電極に印加する。対向基板には、アレイ基板に配置された複数の画素電極に対向するように共通電極が設けられる。一対の画素電極および共通電極はこれら電極間に位置する液晶層の一部である画素領域と共に画素を構成し、画素領域において液晶分子配列を画素電極および共通電極間の電界によって制御する。表示制御回路は複数のゲート線を駆動するゲートドライバ、複数のソース線を駆動するソースドライバ、並びにこれらゲートドライバ、ソースドライバ、およびバックライトを制御するコントローラ回路等を含む。
【０００５】
従来の液晶パネルでは液晶の応答速度が遅いために動画を表示したときにぼやけが生じることが問題となっていたが、これを大幅に改善可能な液晶モードとして、高速応答特性を有するＯＣＢ（Optically Compensated Bend）液晶が注目されている。（特許文献１を参照）。この液晶表示パネルでは、液晶が画素電極および共通電極上で互いに平行にラビングされた配向膜によって電源投入前においてほとんど寝ているスプレー配向になる。液晶表示パネルは、電源投入に伴う初期化処理で印加する比較的強い電界によりこれら液晶をスプレー配向からベンド配向に転移させてから表示動作を行う。
【０００６】
液晶が電源投入前にスプレー配向となる理由は、スプレー配向が液晶駆動電圧の無印加状態でエネルギー的にベンド配向よりも安定であるためである。このような液晶は一旦ベンド配向に転移しても、スプレー配向のエネルギーとベンド配向のエネルギーとが拮抗するレベル以下の電圧印加状態や電圧無印加状態が長期間続く場合に再びスプレー配向に逆転移してしまうという性質を有する。スプレー配向では、視野角特性がベンド配向に対して大きく異なることから表示異常となる。
【０００７】
従来、ベンド配向からスプレー配向への逆転移を防止するため、例えば１フレームの画像を表示するフレーム期間の一部で大きな電圧を液晶に印加する駆動方式がとられている。ノーマリホワイトの液晶表示パネルでは、この電圧が黒表示となる画素電圧に相当するため、黒挿入駆動と呼ばれる。
【０００８】
液晶表示パネルは画像データの更新まで表示状態を保持するホールド型表示デバイスであることから、動画表示において観察者の視覚に生じる網膜残像の影響から物体の動きを滑らかに見せることが難しい。上述の黒挿入駆動は画素輝度を擬似的に離散的な疑似インパルス応答の波形にして網膜残像をクリアすることになるため、観察者の視覚によって低下する動画視認性の改善に有効である。
【特許文献１】特開２００２−２０２４９１号公報
【発明の開示】
【発明が解決しようとする課題】
【０００９】
ところで、バックライトは階調表示期間に点灯し黒挿入期間に消灯するブリンキング（点滅）駆動とすることができる。図１４は、この駆動タイミングチャートの一例である。以下、この駆動方式を従来駆動方式と呼ぶ。本図では横軸を時間とし、縦軸を画面垂直方向位置として、パネル内でのゲート走査タイミングを示している。  
ＯＣＢでは液晶配向状態がベンド状態からスプレイ状態へと戻るいわゆる逆転移を防ぐために１フレーム期間中にある時間比率で黒表示を行う必要があり、そのため１フレーム期間内で最低１回の黒信号書き込み用の走査（黒挿入走査）と最低１回の信号書き込み用の走査（信号走査）を行う必要がある。図１４は１フレーム期間中に黒挿入走査と信号走査をそれぞれ１回ずつ行う場合について示してある。
【００１０】
以下、具体的な駆動方法について述べる。まず、１フレームの最初の１／４程度の時間で黒挿入走査を行い、表示領域全体を黒表示状態にリセットする。そして次の１／４程度の時間で信号走査を行い、表示領域全体に映像信号を書き込む。そして、残りの１／２の時間でバックライトを点灯させパネルに書き込まれた映像信号を読み出す。
【００１１】
このようにバックライトをパネル上の走査に同期させて点滅させる第一の目的は、１フレーム中一定の期間だけバックライトを点灯させることでＣＲＴのようなインパルス表示を行い、動画視認性を改善することである。  
さらに第二の目的として、液晶が黒挿入状態になっているときはバックライトを消して信号書込み状態だけ点灯させることでバックライトの電力効率とコントラストを改善させることも挙げられる。
【００１２】
なお、ここで走査時間を１フレームの１／４、バックライトの点灯時間を１フレームの１／２としたが、これは説明を容易にするための代表数値であり、別にこれらの値に固定される必然性は無く、状況に応じて自由な時間幅に設定できるものである。また、図１４ではバックライトＢＬの点灯開始は信号書込走査が完了するタイミングに、点灯終了は次フレームの黒挿入が始まるタイミングに一致させているが、これも説明を容易にするための一設定例にすぎず、液晶の立ち上がり応答の時間遅れなどを考慮して多少ずらして設定させてもよい。
【００１３】
このブリンキング駆動を行った場合においては、常時点灯する通常のバックライト駆動方式と比べて、フリッカ（ちらつき）が強く認識されることが指摘されている。  
一般の液晶パネルにおいて、フレーム周波数の固定された映像ソース、例えばＮＴＳＣ（６０Ｈｚ）やＰＡＬ（５０Ｈｚ）の映像ソースなどを表示する場合、パネル側のフレーム周波数もこれらに同期させて６０Ｈｚ、あるいは５０Ｈｚにすることが一般的である。  
フリッカは、画像が点滅等することによりチラツキを感じさせる現象であり、このフリッカは、バックライトの点滅動作に起因して発生する。
【００１４】
一般に、フリッカはその点滅周波数が高くなると認識されにくくなり、例えばパネルのフレーム周波数を７５Ｈｚ以上にすれば、フリッカは殆ど目立たなくなることが知られている。
【００１５】
しかしながら液晶表示パネルを例えば７５Ｈｚで駆動させる場合、映像ソースとしてＮＴＳＣ方式（６０Ｈｚ）やＰＡＬ方式（５０Ｈｚ）の映像を用いるときには映像信号の周波数変換が必要となる。一例として６０Ｈｚの映像ソースを７５Ｈｚに変換する場合、７５／６０＝５／４倍の周波数変換になる。すなわち、連続４コマ分の映像ソースを５コマに変換してパネルに転送する必要がある。
【００１６】
このような変換の方法として、例えば連続４コマ分の映像ソース＃１、＃２、＃３、＃４を＃１、＃２、＃３、＃４、＃４という順で転送する（＃４のコマだけ２回提示する）方法が考えられる。ところが、この方式では動画のなめらかな動きが損なわれ、“カクカク”した動作（ｍｏｔｉｏｎ  ｊｕｄｄｅｒと呼ばれる）が現れる。
【００１７】
ここでカクカク動作の発生原理について説明を加えておく。一例として、小物体が１画素／コマの速度で水平方向に移動するような映像ソース（６０Ｈｚを想定）の場合について考える。
【００１８】
図１５は、従来の液晶パネルの場合、すなわち映像ソースの駆動とパネルの駆動とが同期している場合について、表示画像の変化をタイミングチャートとして表した図であり、図１６は、映像ソースの周波数変換を行った場合、すなわち映像ソースの駆動周波数とパネルの駆動周波数とが異なる場合について、表示画像の変化をタイミングチャートとして表した図である。横軸がパネル上での水平位置、縦軸が時間に対応している。パネルの１駆動周期（１フレーム）毎に順次、＃１、＃２、＃３、＃４、＃５、＃６、・・・というように映像ソースが提示され、これに対応して１フレーム毎に１画素ずつ小物体（丸印）が移動していく様子が示されている。
【００１９】
人間はこの物体を観察するとき、それと同じ速度で視線を移動させるので、そのときの視線の動きは矢印のように表される。図１５に示された状態では、当然のことながら小物体は常に矢印の上に乗っているので、視線に乗っている観察者にとって小物体は静止しており、その位置がブレて見えることは無い。
【００２０】
これに対して図１６に示すように、６０Ｈｚ→７５Ｈｚの周波数変換を行う場合には、先にも述べたように映像ソースは＃１、＃２、＃３、＃４、＃４、＃５、＃６、＃７、＃８、＃８、・・・というように４コマ中１コマだけ２回繰り返して提示され、小物体の動きもこの画像提示に対応したものになる。人間はこの物体の平均的な移動速度に合わせて観察するため、視線移動は矢印のような直線で表されるが、図１６では、不連続な映像提示に対応して、必ずしも小物体は矢印上に乗っていない。すなわち、視線に沿って観測する人間にとっては、小物体があたかも細かく左右に振動しているように観測される。この振動の周期はパネルの駆動周期単位で５フレーム分であり、振動の周波数は７５Ｈｚ×１／５＝１５Ｈｚである。このような低周波での物体の振動がカクカク動作として認識される。
【００２１】
なお、コマ数変換の別の方法として、もとの映像のコマ画像＃１〜＃４をそのまま用いるのではなく、これらに画像補間演算処理を施して連続な５コマの画像を生成して提示する方式もある。しかしながらこの方法にあっても、本来の表示画像を損なうことなく完全にカクカク動作を解消することは困難であった。
【００２２】
本発明は上述の課題に鑑みて考案されたものであり、ＮＴＳＣやＰＡＬなどフレーム周波数の固定された映像ソースを表示するときのフリッカやカクカク動作を抑制することができる液晶表示装置を提供することを目的とする。
【課題を解決するための手段】
【００２３】
上記課題を解決するための本発明は、複数の液晶画素を略マトリクス状に配した表示パネルと、前記表示パネルを照明するバックライト部の点消灯を制御する照明制御部と、非映像信号及び映像信号を画素電圧として周期的に前記複数の液晶画素の各々に書き込むドライバ回路と、１フレーム期間を第１乃至第４期間に設定し、第１及び第３期間内に非映像信号を書込み、第２及び第４期間内に映像信号を書込むように前記ドライバ回路を制御すると共に、第２及び第４期間内に前記バックライト部を点灯するように前記照明制御部を制御する制御部とを備えた液晶表示装置である。
【００２４】
また本発明は、複数の液晶画素を略マトリクス状に配した表示パネルと、前記表示パネルを照明するバックライト部の点消灯を制御する照明制御部と、非映像信号及び映像信号を画素電圧として周期的に前記複数の液晶画素の各々に書き込むドライバ回路と、１フレーム期間を第１乃至第３期間に設定し、第１期間内に非映像信号を書込み、第２及び第３期間内に映像信号を書込むように前記ドライバ回路を制御すると共に、第２及び第３期間内に前記バックライト部を点灯するように前記照明制御部を制御する制御部とを備えた液晶表示装置である。
【００２５】
また本発明は、複数の液晶画素を略マトリクス状に配した表示パネルと、前記表示パネルを照明するバックライト部の点消灯を制御する照明制御部と、非映像信号及び映像信号を画素電圧として周期的に前記複数の液晶画素の各々に書き込むドライバ回路と、１フレーム期間を第１及び第２期間に設定し、第１期間内に非映像信号を書込み、第２内に映像信号を書込むように前記ドライバ回路を制御すると共に、第２期間内に前記バックライト部を２度点消灯するように前記照明制御部を制御する制御部とを備えた液晶表示装置である。
【発明の効果】
【００２６】
この発明の液晶表示装置によれば、ＮＴＳＣやＰＡＬなどフレーム周波数の固定された映像ソースを表示するときのフリッカやカクカク動作を安価に抑制することができる。
【発明を実施するための最良の形態】
【００２７】
〔第１の実施の形態〕  
図１は、液晶表示装置の回路構成を概略的に示す図である。  
液晶表示装置は、液晶表示パネルＤＰ、表示パネルＤＰを照明するバックライトＢＬ、表示パネルＤＰおよびバックライトＢＬを制御する表示制御回路ＣＮＴを備える。
【００２８】
液晶表示パネルＤＰは、一対の電極基板であるアレイ基板１および対向基板２間に液晶層３を挟持した構造である。液晶層３は、例えばノーマリホワイトの表示動作のために予めスプレー配向からベンド配向に転移されると共に、表示動作中にベンド配向からスプレー配向への逆転移が、印加される電圧により阻止される液晶を液晶材料として含む。
【００２９】
表示制御回路ＣＮＴは、アレイ基板１および対向基板２から液晶層３に印加される液晶駆動電圧により液晶表示パネルＤＰの透過率を制御する。スプレー配向からベンド配向への転移は、電源投入時に表示制御回路ＣＮＴにより行われる所定の初期化処理で比較的大きな電界を液晶に印加することにより得られる。  
アレイ基板１では、複数の画素電極ＰＥが透明絶縁基板ＧＬ上において略マトリクス状に配置される。また、複数のゲート線Ｙ（Ｙ１〜Ｙｍ）が複数の画素電極ＰＥの行に沿って配置され、複数のソース線Ｘ（Ｘ１〜Ｘｎ）が複数の画素電極ＰＥの列に沿って配置される。
【００３０】
これらゲート線Ｙおよびソース線Ｘの交差位置近傍には、複数の画素スイッチング素子Ｗが配置される。各画素スイッチング素子Ｗは例えばゲートがゲート線Ｙに接続され、ソース−ドレインパスがソース線Ｘおよび画素電極ＰＥ間に接続される薄膜トランジスタからなり、対応ゲート線Ｙを介して駆動されたときに対応ソース線Ｘおよび対応画素電極ＰＥ間で導通する。
【００３１】
各画素電極ＰＥおよび共通電極ＣＥのそれぞれは、例えばＩＴＯ等の透明電極材料からなり、それぞれ配向膜ＡＬで覆われ、画素電極ＰＥおよび共通電極ＣＥからの電界に対応した液晶分子配列に制御される液晶層３の一部である画素領域と共に液晶画素ＰＸを構成する。
【００３２】
複数の液晶画素ＰＸは各々画素電極ＰＥおよび共通電極ＣＥ間に液晶容量ＣＬＣを有する。複数の補助容量線Ｃ１〜Ｃｍは各々対応行の液晶画素ＰＸの画素電極ＰＥに容量結合した補助容量Ｃｓを構成する。補助容量Ｃｓは画素スイッチング素子Ｗの寄生容量に対して十分大きな容量値を有する。
【００３３】
表示制御回路ＣＮＴは、ゲートドライバＹＤ、ソースドライバＸＤ、バックライト駆動部ＬＤ、駆動用電圧発生回路４、およびコントローラ回路５を備える。  
ゲートドライバＹＤは、複数のスイッチング素子Ｗを行単位に導通させるように複数のゲート線Ｙ１〜Ｙｍを順次駆動する。ソースドライバＸＤは、各行のスイッチング素子Ｗが対応ゲート線Ｙの駆動によって導通する期間において画素電圧Ｖsを複数のソース線Ｘ１〜Ｘｎにそれぞれ出力する。バックライト駆動部ＬＤは、バックライトＢＬを駆動する。駆動用電圧発生回路４は、表示パネルＤＰの駆動用電圧を発生する。コントローラ回路５は、ゲートドライバＹＤ、ソースドライバＸＤおよびバックライト駆動部ＬＤを制御する。
【００３４】
駆動用電圧発生回路４は、補助容量線Ｃに印加される補償電圧Ｖeを発生する補償電圧発生回路６を含む容量結合駆動を含んでも良い。また、ソースドライバＸＤによって用いられる所定数の階調基準電圧ＶＲＥＦを発生する階調基準電圧発生回路７、および対向電極ＣＴに印加されるコモン電圧Ｖcomを発生するコモン電圧発生回路８を含む。
【００３５】
コントローラ回路５は、制御回路１０、垂直タイミング制御回路１１、水平タイミング制御回路１２、フレーム回路１７、およびバックライト制御回路１４を含む。
【００３６】
制御回路１０は、外部信号源ＳＳから入力される同期信号ＳＹＮＣ’に基づいて新たな同期信号ＳＹＮＣ（ＶＳＹＮＣ，ＤＥ）を生成するとともに、表示制御回路ＣＮＴ各部の動作を制御する信号を生成する。  
垂直タイミング制御回路１１は、制御回路１０から入力される同期信号ＳＹＮＣ（ＶＳＹＮＣ，ＤＥ）に基づいてゲートドライバＹＤなどに対する制御信号ＣＴＹを発生する。水平タイミング制御回路１２は、制御回路１０から入力される同期信号ＳＹＮＣ（ＶＳＹＮＣ，ＤＥ）に基づいてソースドライバＸＤに対する制御信号ＣＴＸを発生する。
【００３７】
画像データ変換回路１７は、複数の画素ＰＸに対して外部信号源ＳＳから入力される画像データＤＩを一時保存すると共に、所定タイミングでソースドライバＸＤに出力する。また画像データ変換回路１７は上述の画像データに加えて黒挿入変換を行うための黒画像データを生成する。バックライト制御回路１４は、垂直タイミング制御回路１１から出力される制御信号ＣＴＹに基づいてバックライト駆動部ＬＤを制御する。
【００３８】
画像データＤＩは複数の液晶画素ＰＸに対する複数の画素データからなり、１フレーム期間（垂直走査期間Ｖ）毎に更新される。制御信号ＣＴＹはゲートドライバＹＤに供給され、制御信号ＣＴＸはフレーム回路１７から得られる画素データＤＯと共にソースドライバＸＤに供給される。制御信号ＣＴＹは上述のように順次複数のゲート線Ｙを駆動する動作をゲートドライバＹＤに行わせるために用いられ、制御信号ＣＴＸは画像データ変換回路１７の液晶画素ＰＸ単位に得られ直列に出力される画素データＤＯを複数のソース線Ｘにそれぞれ割り当てると共に出力極性を指定する動作をソースドライバＸＤに行わせるために用いられる。
【００３９】
ゲートドライバＹＤはゲート線Ｙを選択するために例えばシフトレジスタ回路を用いて構成される。ここで、ゲートパルスは、それぞれのゲート線に対し、黒画像データ及び階調画像データを液晶画素ＰＸに読み込ませるために１フレーム期間に複数回出力される。なお、この表示動作については後で詳細に説明する。
【００４０】
ソースドライバＸＤは階調基準電圧発生回路７から供給される所定数の階調基準電圧ＶＲＥＦを参照してこれら画素データＤＯをそれぞれ画素電圧Ｖsに変換し、複数のソース線Ｘ１〜Ｘｎに並列的に出力する。
【００４１】
画素電圧Ｖsは共通電極ＣＥのコモン電圧Ｖcomを基準として画素電極ＰＥに印加される電圧であり、例えばフレーム反転駆動およびライン反転駆動を行うようコモン電圧Ｖcomに対して極性反転される。２倍速の垂直走査速度で反射部表示駆動を行う場合には、例えばライン反転駆動（１Ｈ反転駆動）およびフレーム反転駆動を行うようコモン電圧Ｖcomに対して極性反転される。
【００４２】
また、補償電圧Ｖeは１行分のスイッチング素子Ｗが非導通となるときにこれらスイッチング素子Ｗに接続されるゲート線Ｙに対応した補助容量線ＣにゲートドライバＹＤを介して印加され、これらスイッチング素子Ｗの寄生容量によって１行分の画素ＰＸに生じる画素電圧Ｖsの変動を補償する容量結合駆動であっても良い。
【００４３】
ゲートドライバＹＤが例えばゲート線Ｙ１をオン電圧により駆動してこのゲート線Ｙ１に接続された全ての画素スイッチング素子Ｗを導通させると、ソース線Ｘ１〜Ｘｎ上の画素電圧Ｖsがこれら画素スイッチング素子Ｗをそれぞれ介して対応画素電極ＰＥおよび補助容量Ｃｓの一端に供給される。
【００４４】
また、ゲートドライバＹＤはこのゲート線Ｙ１に対応した補助容量線Ｃ１に補償電圧発生回路６からの補償電圧Ｖeを出力し、ゲート線Ｙ１に接続された全ての画素スイッチング素子Ｗを１水平走査期間だけ導通させた直後にこれら画素スイッチング素子Ｗを非導通にするオフ電圧をゲート線Ｙ１に出力する。補償電圧Ｖeはこれら画素スイッチング素子Ｗが非導通になったときにこれらの寄生容量によって画素電極ＰＥから引き抜かれる電荷を低減して画素電圧Ｖsの変動、すなわち突き抜け電圧ΔＶｐを実質的にキャンセルする。
【００４５】
図２は、ソースドライバＸＤの構成を概略的に示す図である。  
ソースドライバＸＤは、シフトレジスタ２１、サンプリング・ロードラッチ２２、デジタルアナログ（Ｄ／Ａ）変換回路２３、および出力バッファ回路２４を含む。  
制御信号ＣＴＸには、一行分の画素データの取り込み開始タイミングを制御する水平スタート信号ＳＴＨ、シフトレジスタ２１において水平スタート信号ＳＴＨをシフトさせる水平クロック信号ＣＫＨが含まれている。
【００４６】
シフトレジスタ２１は、水平スタート信号ＳＴＨを水平クロック信号ＣＫＨに同期してシフトし、画素データＤＯを順次直並列変換するタイミングを制御する。サンプリング・ロードラッチ２２は、シフトレジスタ２１の制御により１ライン分の画素ＰＸに対する画素データＤＯを順次ラッチし、並列的に出力する。デジタルアナログ（Ｄ／Ａ）変換回路２３は、画素データＤＯをアナログ形式の画素電圧に変換する。出力バッファ回路２４は、Ｄ／Ａ変換回路２３から得られるアナログ画素電圧をソース線Ｘ１，・・・，Ｘｎに出力する。そして、Ｄ／Ａ変換回路２３は、階調基準電圧発生回路７から発生される複数の階調基準電圧ＶＲＥＦを参照するように構成される。なお、階調基準電圧発生回路７は、１フレーム期間において制御回路１０からの切替信号に応じて、階調基準電圧ＶＲＥＦを階調画像表示用及び黒画像表示用に切替えて出力する。
【００４７】
以下、本発明の実施の形態の表示駆動動作について説明する。なお、説明をわかりやすくするため入力映像ソースとしてＮＴＳＣを想定しその周波数は６０Ｈｚである場合を例にとって説明するが、これら以外の方式、例えばＰＡＬ方式（５０Ｈｚ）やその他の周波数の信号に対しても、同様に適用することができる。
【００４８】
図３は、本発明の第一の実施の形態における駆動タイミングチャートである。  
本実施の形態においては、パネルの駆動周期を入力映像ソースの周期と同じく６０Ｈｚで動作させる。そして、１フレームを６つの期間で構成する。即ち、１フレームを(1)黒挿入走査（１回目）、(2)信号書込み走査（１回目）、(3)バックライト点灯（１回目）、(4)黒挿入走査（２回目）、(5)信号書込み走査（２回目）、(6)バックライト点灯（２回目）、の期間に分割している。
【００４９】
この動作は、図１４に示す従来駆動方式である１フレーム単位での動作（黒挿入走査、信号書込み走査、バックライト点灯）を、１フレーム内で２回繰り返していることになる。図３では(1)(2)(4)(5)の各走査期間をそれぞれ１／３００  ｓｅｃ、(3)(6)のバックライト点灯期間をそれぞれ１／６００  ｓｅｃ確保する場合を示している。
【００５０】
また、駆動タイミングは、図４に示すものであっても良い。図４では(1)(2)(4)(5)をそれぞれ１／４８０  ｓｅｃ、(3)(6)をそれぞれ１／２４０  ｓｅｃとする場合の例を示している。ここで、図３、図４のいずれの方式であっても、(2)と(5)の信号書込み走査においてはいずれも、そのフレームに対応した同一の映像ソース信号を書き込む。
【００５１】
本実施の形態によれば、パネルを６０Ｈｚで駆動しているにもかかわらずバックライト点滅の周波数はその２倍の１２０Ｈｚに相当するので、フリッカは殆ど認識されず、また、カクカク動作も殆ど問題とならない。
【００５２】
なお、この動作を実現するために画像データ変換回路１７は、黒画像データと階調画像データとを１フレーム期間においてそれぞれ２回、ソースドライバＸＤに出力する。また、垂直タイミング回路１１及び水平タイミング回路１２は、黒挿入走査と信号書込み走査のために１フレーム期間においてそれぞれ２回、制御信号ＣＴＸ，ＣＴＹを出力する。更に、バックライト制御回路１４は、１フレーム期間においてそれぞれ２回、  バックライトの点滅を制御する。  
そして、この動作は制御回路１０が統括して制御する。
【００５３】
図５は、第一の実施の形態における表示画像の変化をタイミングチャートとして表した図である。図５は、小物体が１画素／コマの速度で水平方向に移動するような映像ソースを表示したときの小物体の移動を示している。本実施の形態では、パネルの１駆動周期（１フレーム）に同じ映像を２回提示するため、図５では、水平方向の実線上と破線上にある丸印がそれぞれ、１回目と２回目の信号書込みに対応している。
【００５４】
人間はこの物体の平均的な移動速度に合わせて観察するため、視線移動は矢印のような直線で表される。丸印はいずれもこの直線からわずかにずれているため、物体は細かく振動しているように観測されるが、そのずれのパターンはすべてのフレームにおいて同一である。すなわち振動の周期はパネルの１フレームに対応し、振動周波数はその逆数の６０Ｈｚである。これは従来例における振動周波数１５Ｈｚよりはるかに大きく、人間の目にはカクカク動作は殆ど認識されない。
【００５５】
以上のように、本実施の形態によれば、フリッカもカクカク動作も無い良好な動画像を得ることができる。また、特別な画像補間演算処理も不要なため、安価に実現することが可能である。
【００５６】
なお、本実施の形態では１フレーム内での(1)〜(6)の各動作が間をおかず、かつオーバラップもせずに順次行われるものとして説明したが、必ずしも厳密にそうする必要はなく、例えば各動作の間に何もしない期間を確保したり、あるいは逆に部分的にオーバラップしたりしても勿論かまわない。  
また、(1)(2)(4)(5)の走査期間は必ずしも同じ時間で行う必要はないし、(3)(6)のバックライト発光期間も必ずしも同一でなくてもよい。例えば、(1)(4)の黒挿入走査は全画面ほぼ同時に一括して行うという方法も可能である。
【００５７】
ただ簡単のため、(1)〜(6)の各動作が間をおかずかつオーバラップもせずに順次行われるものとし、(1)(2)(4)(5)の走査期間幅は等しい（これをＴｓとする）ものと仮定すると、(3)(6)のバックライト発光期間の総和をＴｌ、１フレーム周期をＴｆとして、式１の関係が成立する。
【００５８】
４＊Ｔｓ＋Ｔｌ＝Ｔｆ    
すなわち、  Ｔｌ／Ｔｆ＝１−４＊Ｔｓ／Ｔｆ          （式１）
ここでＴｌ／Ｔｆは１フレーム中でバックライトが発光している時間の比率、すなわちバックライト発光デューティに対応する。  
図３に示す例（Ｔｓ＝１／３００  ｓｅｃ、Ｔｌ＝２×１／６００  ｓｅｃ、Ｔｆ＝１／６０  ｓｅｃ）、および図４に示す例（Ｔｓ＝１／４８０  ｓｅｃ、Ｔｌ＝２×１／２４０  ｓｅｃ、Ｔｆ＝１／６０  ｓｅｃ）ではいずれもこの式１を満たしている。
【００５９】
〔第２の実施の形態〕  
第１の実施の形態で示した駆動方式はフリッカやカクカク動作のない良好な動画像を与えるものであった。しかし、図５のタイミングチャートでは、カクカク動作としては認識されないものの、物体は視線を中心として６０Ｈｚで細かく振動している。このため画像は、その幅に若干の広がりがあるように認識され、僅かではあるが動画ぼけが視認されるという課題がある。
【００６０】
第２の実施の形態に係る液晶表示装置は、この課題を改善するものである。本第２の実施の形態では、上述の第１の実施の形態で示した駆動方式をベースとするが、(2)(5)の信号書込み走査で対応する映像ソースの階調信号を同じように書き込むのではなく、それぞれに最適配分して書き込む。
【００６１】
図６は、第２の実施の形態の駆動タイミングチャートである。  
図６（ａ）に示す最も暗いレベル（黒）に対応する階調レベルでは、(2) 信号書込み走査（１回目）、(5) 信号書込み走査（２回目）ではいずれも黒レベルを書き込んでいる。図６（ｂ）〜（ｃ）に示すように、階調レベルが上がるにしたがって、(2) 信号書込み走査（１回目）では（ａ）と同じく黒レベルを書き込んでいるが、(5) 信号書込み走査（２回目）では階調レベルを上げた信号を書き込んでいる。そして図６（ｄ）〜（ｅ）に示すように、(5) 信号書込み走査（２回目）の階調レベルが最も明るいレベルに達した後に、(2) 信号書込み走査（１回目）の階調レベルを上げていく。
【００６２】
本実施の形態では、少なくとも図６（ａ）〜（ｃ）の階調領域においては、実質的に１フレームに１回しか映像が表示されない。図７は、第２の実施の形態の物体移動のタイミングチャートを示す図である。物体像は視線上に乗っており振動成分は存在していない。従って、動画ぼけが第１の実施の形態よりもさらに改善されるというメリットが得られる。
【００６３】
なお、図６（ａ）〜（ｃ）の階調領域において実質的に１フレームに１回しか映像が表示されないため一見フリッカが増大するよう思えるが、ここは暗い画像表示に対応する領域であるため、実際にはフリッカは殆ど問題にならない。
【００６４】
なお、図６とは逆に、低階調領域では(2) 信号書込み走査（１回目）において、優先的に階調信号を表示し、(2) 信号書込み走査（１回目）が最高階調レベルに達した後に、(5) 信号書込み走査（２回目）で階調信号を書き込んでいくという方法でも良い。
【００６５】
また、当該１フレームで書き込まれるべき階調レベルを第１回目と第２回目の信号書き込みで分配しても良い。例えば、所望の階調レベルをＤとし、異なる分配率α、βを用いて（α＋β＝１、  α≠β）、第１回目に階調レベルαＤを出力し、第２回目に階調レベルβＤを出力しても良い。
【００６６】
なお、第２の実施の形態の動作は、第１の実施の形態で述べたように、制御回路１０の制御によって、画像データ変換回路１７、垂直タイミング回路１１、水平タイミング回路１２、バックライト制御回路１４等が協働して動作することによって実現される。
【００６７】
〔第３の実施の形態〕  
先に述べた第１及び第２の実施の形態では、フリッカやカクカク動作は改善されるものの、実際に駆動するにあたっては走査時間とバックライト点灯時間を同時に十分に確保するのが難しいという課題がある。  
走査時間が短いときは、パネルへの信号書込みが不十分になったり駆動回路の動作が追いつかなくなるなどにより正常な画像表示ができなくなる恐れがある。また、バックライト点灯時間が短いときは、十分な輝度が得られないという不具合が生じる。
【００６８】
実際、図１４に示す従来駆動方式のタイミングチャートでは、走査時間（黒挿入走査と信号書込み走査で等しいものと仮定）をＴｓ、バックライト発光時間をＴｌ、フレーム周期をＴｆとして式２の関係が成立する。  
２＊Ｔｓ＋Ｔｌ＝Ｔｆ  
すなわち、  Ｔｌ／Ｔｆ＝１−２＊Ｔｓ／Ｔｆ            （式２）
一方、第１の実施の形態１では（式１）に示す関係が成立する。  
一例としてＴｆ＝１／６０  ｓｅｃとし、パネルの書込みや駆動回路の動作に支障をきたさない走査時間の下限がＴｓ＝１／３００  ｓｅｃであるとすると、確保可能なバックライト発光デューティの上限は、図１４に示す従来駆動方式の場合がＴｌ／Ｔｆ＝０．６、であるに対して第１の実施の形態の場合は、Ｔｌ／Ｔｆ＝０．２と、後者においてはバックライト発光デューティがかなり低下してしまう。
【００６９】
これを改善するために考案されたのが本第３の実施の形態である。図８にその駆動タイミングチャートを示す。これは、図３に示す第１の実施の形態のタイミングチャートにおける(4)黒挿入走査（２回目）をなくしたものである。黒挿入期間はＯＣＢの逆転移を防止するために必要なものであったが、液晶の配向条件を最適化したり、黒挿入期間に液晶に印加する電圧を上げたりすることで、黒挿入走査を１回にしても逆転移が発生しないような条件を実現することは十分可能である。
【００７０】
本第３の実施の形態においては、走査時間Ｔｓ、バックライト発光時間の総和Ｔｌ、フレーム周期Ｔｆの間に式３で示す関係が成立する。
【００７１】
３＊Ｔｓ＋Ｔｌ＝Ｔｆ  
すなわち、  Ｔｌ／Ｔｆ＝１−３＊Ｔｓ／Ｔｆ                （式３）
この式３によれば、例えばＴｓ＝１／３００  ｓｅｃ、Ｔｆ＝１／６０  ｓｅｃの場合にはバックライト発光デューティはＴｌ／Ｔｆ＝０．４である。よって、少なくとも第１の実施の形態よりはバックライト発光デューティを増やすことが可能であり、より明るい映像を得ることができる。
【００７２】
なお、第１の実施の形態では(1)(2)(4)(5)の走査時間を全て同じとし、かつ(3)(6)のバックライト発光時間も同じとすれば、(1)(2)(3)で構成される（黒挿入走査、信号書込み走査、バックライト点灯）のセットと、(4)(5)(6)で構成されるセットは全く同じ時間関係となり、バックライトの発光周波数を実効的に１２０Ｈｚにすることが可能であった。
【００７３】
一方、本第３の実施の形態では３つの走査時間(1)(2)(5)を全て同じとし、かつ２つのバックライト発光時間(3)(6)を同じにしても、バックライトが発光していない期間の長さが(1)(2)と(5)で異なるため、完全な１２０Ｈｚとはならない。
【００７４】
言い換えれば、１フレーム（６０Ｈｚ）を基本周期としてバックライトの発光プロファイルをフーリエ展開したときに、第１の実施の形態では基本周波数成分（６０Ｈｚ）を０にすることが可能であるが、本第３の実施の形態では０にすることができない。しかしながら、本第３の実施の形態における基本周波数成分の振幅は、図１４に示す従来駆動方式の基本周波数成分の振幅よりも小さいため、フリッカは殆ど視認されないと考えてよい。
【００７５】
図９は、図１４に示す従来駆動方式のバックライト発光プロファイルに関して、フーリエ展開により基本周波数成分を計算した結果を示す図であり、図１０は、第３の実施の形態におけるバックライト発光プロファイルに関して、フーリエ展開により基本周波数成分を計算した結果を示す図である。なお、いずれの図も、Ｔｓ＝１／３００  ｓｅｃ、Ｔｆ＝１／６０  ｓｅｃの場合について計算してある。
【００７６】
ここで、Ｉ０は、バックライト発光プロファイルをフーリエ展開したときのＤＣ成分であり、Ｉ１は、基本周波数（６０Ｈｚ）成分である。従って、Ｉ１／Ｉ０は、ＤＣ成分に対する基本周波数成分の比を表している。  
このようにして、ＤＣ成分（１フレームでの輝度積算値）で規格化した値で比較すると、本第３の実施の形態における基本周波数成分は従来駆動方式のそれに対して５７．３％にまで低減しており、フリッカは大幅低減されると考えてよい。
【００７７】
なお、第３の実施の形態の動作は、第１の実施の形態で述べたように、制御回路１０の制御によって、画像データ変換回路１７、垂直タイミング回路１１、水平タイミング回路１２、バックライト制御回路１４等が協働して動作することによって実現される。
【００７８】
また本第３の実施の形態において、第２の実施の形態で述べたように階調を２つの書込み期間に配分する手法を適用することも勿論可能である。
【００７９】
〔第４の実施の形態〕  
第４の実施の形態は、上述の第３の実施の形態の変型として、図１１に示すように、あえて(5)信号書込み走査（２回目）を行わないという駆動方法である。但し、その分の時間は詰めずに、有限の時間幅を確保しておく。必ずしも２回目の信号書込みを行わなくても、(2)信号書込み走査（１回目）にて画素に書き込まれた映像信号は、(6)バックライト点灯（２回目）まで保持されているためである。この方式では第２の実施の形態で述べたような階調の配分を２つの書込み期間に最適配分する手法が適用できないという課題はあるが、信号走査の回数を削減できるため回路消費電力がより低減できるというメリットがある。
【００８０】
なお、第４の実施の形態の動作は、第１の実施の形態で述べたように、制御回路１０の制御によって、画像データ変換回路１７、垂直タイミング回路１１、水平タイミング回路１２、バックライト制御回路１４等が協働して動作することによって実現される。
【００８１】
〔第５の実施の形態〕  
図１２は、本発明の第５の実施の形態における駆動タイミングチャートである。  
この駆動タイミングチャートは、図８に示す第３の実施の形態で説明した駆動タイミングチャートと同じく１フレームを(1)黒挿入走査（１回目）、(2)信号書込み走査（１回目）、(3)バックライト点灯（１回目）、(5)信号書込み走査（２回目）、(6)バックライト点灯（２回目）、によって構成しているが、表示領域のバックライトを上下２分割し、タイミングをずらして発光させている点に特徴がある。
【００８２】
バックライトの発光タイミングを表示パネルの上下各領域で独立に制御することで、バックライトの発光デューティをより大きく確保することができる。実際、第３の実施の形態では(2)(5)の信号書込み走査が完了した時点でバックライトを点灯開始することを想定していたが、本実施の形態では(2)(5)の信号書込み走査が画面中央に到達した時点で上半分のバックライトを点灯開始することが可能である。
【００８３】
走査時間Ｔｓ、バックライト発光時間の総和Ｔｌ、およびフレーム周期Ｔｆには式４で示す関係が成立する。  
Ｔｓ＋Ｔｓ／２＋Ｔｓ／２＋Ｔｌ＝Ｔｆ  
即ち、  Ｔｌ／Ｔｆ＝１−２＊Ｔｓ／Ｔｆ        （式４）
例えば、Ｔｓ＝１／３００  ｓｅｃ、Ｔｆ＝１／６０  ｓｅｃの場合にはバックライト発光デューティはＴｌ／Ｔｆ＝０．６である。すなわち、バックライト発光デューティが第３の実施の形態に比べて大きくなり、従来例と同等にまで改善できることになる。よって、明るい画像を得ることが可能である。
【００８４】
なお、第５の実施の形態の動作は、第１の実施の形態で述べたように、制御回路１０の制御によって、画像データ変換回路１７、垂直タイミング回路１１、水平タイミング回路１２、バックライト制御回路１４等が協働して動作することによって実現される。
【００８５】
〔第６の実施の形態〕  
図１３は、本発明の第６の実施の形態における駆動タイミングチャートである。  
この駆動タイミングチャートも、第５の実施の形態と同様にバックライトを上下分割してタイミングを制御する。これは、バックライト発光デューティを最大化することよりも、バックライト発光タイミングを完全倍速化すること（フーリエ展開したときの基本周波数成分を０にすること）を優先し、フリッカの更なる低減を図ったものである。
【００８６】
ここでもＴｓ＝１／３００  ｓｅｃ、Ｔｆ＝１／６０  ｓｅｃの場合を例として説明する。説明のために１フレームを１０分割して０、１、２、・・・、９の符号をつけてある。(1)黒挿入走査（１回目）、(2)信号書込み走査（１回目）、(5)信号書込み走査（２回目）のタイミングはそれぞれ、０〜２、２〜４、５〜７の期間に対応させる。そして(3)(6)のバックライト点灯は、画面上半分は３〜５と８〜１０の期間、画面下半分は４〜６と９〜１（次フレーム）の期間である。
【００８７】
図１３の駆動タイミングチャートではバックライト発光デューティは、図８に示す第３の実施の形態と同じく０．４であるが、画面上下半分いずれもフレーム周波数の２倍、すなわち１２０Ｈｚでの発光（フーリエ展開したときの６０Ｈｚ成分が０）となっている。これにより、第３の実施の形態に比べてフリッカの更なる低減が実現されている。
【００８８】
なお、第６の実施の形態の動作は、第１の実施の形態で述べたように、制御回路１０の制御によって、画像データ変換回路１７、垂直タイミング回路１１、水平タイミング回路１２、バックライト制御回路１４等が協働して動作することによって実現される。
【００８９】
なお、第５の実施の形態および第６の実施の形態において、バックライトの分割数を３分割、４分割、・・・というようにさらに増やしても良い。また、第３の実施の形態だけでなく、第１の実施の形態に対して第５の実施の形態あるいは第６の実施の形態の方式を適用することも可能である。
【００９０】
以上、第１〜第６の実施の形態について述べてきたが、液晶モードとしては高速応答が可能なＯＣＢ液晶を用いるのが最も適している。更に、第１〜第６の実施の形態において、画像補完技術を組み合せる、例えば隣接フレーム間の補完画像を作成し、これに基づく映像信号を信号書込み走査において書き込むことにより、カクカク動作の解消と共に、動画のぼけもより確実に解消することが可能となる。
【００９１】
尚、本発明は、上記実施形態そのままに限定されるものではなく、実施段階ではその要旨を逸脱しない範囲で構成要素を変形して具体化できる。  
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００９２】
【図１】液晶表示装置の回路構成を概略的に示す図。
【図２】ソースドライバの構成を概略的に示す図。
【図３】本発明の第一の実施の形態における駆動タイミングチャート。
【図４】本発明の第一の実施の形態における駆動タイミングチャート。
【図５】第一の実施の形態における表示画像の変化をタイミングチャートとして表した図。
【図６】第２の実施の形態の駆動タイミングチャート。
【図７】第２の実施の形態の物体移動のタイミングチャートを示す図。
【図８】第３の実施の形態の駆動タイミングチャート。
【図９】従来駆動方式のバックライト発光プロファイルに関して、フーリエ展開により基本周波数成分を計算した結果を示す図。
【図１０】第３の実施の形態におけるバックライト発光プロファイルに関して、フーリエ展開により基本周波数成分を計算した結果を示す図。
【図１１】第４の実施の形態の駆動タイミングチャート。
【図１２】第５の実施の形態の駆動タイミングチャート。
【図１３】第６の実施の形態の駆動タイミングチャート。
【図１４】従来駆動方式による駆動タイミングチャートを表す図。
【図１５】映像ソースの駆動とパネルの駆動とが同期している場合の、表示画像の変化を表した図。
【図１６】映像ソースの駆動周波数とパネルの駆動周波数とが異なる場合の、表示画像の変化を表した図。
【符号の説明】
【００９３】
１…アレイ基板、２…対向基板、３…液晶層、４…駆動用電圧発生回路、５…コントローラ回路、７…階調基準電圧発生回路、１０…制御回路、１４…バックライト制御回路、１７…画像データ変換回路、ＹＤ…ゲートドライバ、ＤＩ…画像データ、ＤＯ…画素データ、ＸＤ…ソースドライバ、ＰＥ…画素電極、ＣＥ…共通電極、ＰＸ…液晶画素、ＤＰ…表示パネル、ＢＬ…バックライト、ＣＮＴ…表示制御回路、Ｘ…ソース線、Ｙ…ゲート線、Ｗ…スイッチング素子。
【図１】
2009186676.tif 000003
【図２】
2009186676.tif 000004
【図３】
2009186676.tif 000005
【図４】
2009186676.tif 000006
【図５】
2009186676.tif 000007
【図６】
2009186676.tif 000008
【図７】
2009186676.tif 000009
【図８】
2009186676.tif 000010
【図９】
2009186676.tif 000011
【図１０】
2009186676.tif 000012
【図１１】
2009186676.tif 000013
【図１２】
2009186676.tif 000014
【図１３】
2009186676.tif 000015
【図１４】
2009186676.tif 000016
【図１５】
2009186676.tif 000017
【図１６】
2009186676.tif 000018